(57)【特許請求の範囲】
【請求項１】
露光用開口を備えたシャッタ基板と、該開口を開放・遮蔽する羽根群と、該羽根群を駆動する駆動部材と、該駆動部材をチャージするチャージ部材と、該チャージ部材のカム面に前記駆動部材に配設された支持ピンに回転可能に取り付けられたローラを従動させるようにしたフォーカルプレンシャッタ装置において、前記ローラと前記支持ピンとの間に潤滑油を充填すると共に、前記シャッタ基板には前記ローラの運動軌跡に臨むように凹部を形成したことを特徴とするフォーカルプレンシャッタ装置。
【請求項２】
前記凹部は、駆動部材のローラと支持ピンとの間から流出した潤滑油を収容できる容量を有していることを特徴とする請求項１記載のフォーカルプレンシャッタ装置。
【請求項３】
前記凹部は、前記従動ローラの運動軌跡を取り囲んで前記表面に形成されかつ従動ローラの端部が接触できるランド部を中央に残されかつ流入した潤滑油を収容できる無端状のＶ字溝であることを特徴とする請求項１記載のフォーカルプレンシャッタ装置。
【請求項４】
前記凹部は、前記遮光羽根群の閉鎖状態に対応した前記従動ローラの停止位置に臨んで前記表面に形成されたひとつの容量のある円形エンボスであることを特徴とする請求項１記載のフォーカルプレンシャッタ装置。
【請求項５】
前記凹部は、前記遮光羽根群の閉鎖状態及び開放状態に対応した前記従動ローラの各停止位置に臨んで前記表面にそれぞれ形成された二つの容量のある停止位置エンボスであることを特徴とする請求項１記載のフォーカルプレンシャッタ装置。
【請求項６】
前記凹部は、前記従動ローラの運動軌跡に沿って前記表面に形成された容量のある円弧状エンボスであることを特徴とする請求項１記載のフォーカルプレンシャッタ装置。
【発明の詳細な説明】
【０００１】
【産業上の利用分野】
本発明はスチルカメラに関し、特に露光用アパーチャを開閉するフォーカルプレンシャッタ装置の改良に関する。
【０００２】
【従来の技術】
周知のように、露光用開口（アパーチャ）を開閉する複数の遮光羽根群を備えるフォーカルプレンシャッタ装置は、例えば図１２及び図１３に示すような構造とされている。即ち、表面中央部に開口１Ａを形成されたシャッタ地板２Ａの一側には、レリーズ操作によりカム軸３Ａを中心として矢印方向に回動されるチャージ部材４Ａが設けられ、同シャッタ地板２Ａの裏面側に、連結ピン５Ａを介して薄い複数の遮光羽根群６Ａを支持する一対の支持アーム７Ａ，７Ｂの基部が中心軸９Ａ，支持軸８Ａによりそれぞれ支持される。
【０００３】
そして、一方の支持軸８Ａと共通の中心軸９Ａに対しては、蓄勢ばね１０Ａにより図１２の時計方向に付勢された駆動部材１１Ａが支持され、この駆動部材１１Ａの駆動ピン部１１ａは前記シャッタ地板２Ａの円弧状の逃げ穴１２Ａを通ってシャッタ地板２Ａの裏面側に導出され、この駆動ピン部１１ａに一方の前記支持アーム７Ａが連係される。また、駆動部材１１Ａのアームには、前記チャージ部材４Ａの周面カム面４ａに従動する従動ローラ１３Ａが回転可能に嵌められる支持ピン１１ｂが一体成形され、軽快な従動性を確保するため、この支持ピン１１ｂと従動ローラ１３Ａとの間に潤滑油が充填される。
【０００４】
勿論、実際のシャッタでは、前記チャージ部材４Ａにより開閉操作されるさらに１組の遮光羽根群及び駆動部材がシャッタ地板２Ａの下部に設けられ、図１２の上下方向に走行される前述した遮光羽根群６Ａとこれらの遮光羽根群の同期運動によって露光用開口１Ａの開閉が行われる。
なお、図１３の符号”１４Ａ”は前記シャッタ地板２Ａと平行関係を保たれて前記カム軸３Ａ及び中心軸９Ａの軸端を支持する上地板である。
【０００５】
ところで、前述した従動ローラ１３Ａは、加工費用や組立工程の関係から、図１２に示すように、支持ピン１１ｂに対して緩く嵌められた状態に置かれる場合が多いが、このような状態の従動ローラ１３Ａはカメラの向きによってはシャッタ地板２Ａの表面に接触することがあるけれども、このような接触状態が起きると、支持ピン１１ｂと従動ローラ１３Ａとの間に充填された潤滑油がシャッタ地板２Ａの表面２ａに付着してしまい、付着潤滑油がシャッタ地板２Ａの表面２ａを伝わり、遮光羽根群６Ａの開閉不良やフイルム汚れ等の予期せぬ原因となることがある。
ことに、カメラはレンズを上に向けた状態で長期間に亙って放置される場合にあっては、この放置状態では、図１３に示すように、従動ローラ１３Ａの内周面が上下方向を向くから、潤滑油はこの内周面に沿って下方に流下し、容易にシャッタ地板２Ａの表面２ａに拡散してしまい、数々の故障の原因となる。
【０００６】
このような流出潤滑油の問題を解決するため、例えば実公平２−２４９７７号公報によれば、シャッタ地板の表面２ａに潤滑油と親和性のない撥油剤を直接に塗布する、または、回転軸部等を取り囲む溝を形成して同溝に撥油剤を充填する対策が提案されている。
【０００７】
【発明が解決しようとする課題】
しかしながら、シャッタ地板の表面２ａに撥油剤を塗布する対策では、同表面２ａが従動ローラ１３Ａで擦られると、撥油剤が剥がれて撥油剤自体が無効になってしまうので、前述したようなフォーカルプレンシャッタ装置に適用することはできなかった。
また、撥油剤充填溝による構造は、回転軸のように一定位置で回転する部材には効果的であっても、かなりの範囲を動く従動ローラ１３Ａからの潤滑油流出に適用することは困難で、レンズを上に向けた状態で長期間に渡って放置される場合のように潤滑油の流出量が多くなると、流出潤滑油が撥油剤充填溝を乗り越えてしまうから、フォーカルプレンシャッタ装置には不向きであった。
【０００８】
本発明の目的は、上述した従来のフォーカルプレンシャッタ装置の問題に鑑み、駆動部材の従動ローラと支持ピンとの間に用いられる潤滑油がシャッタ地板の表面に拡散することのないフォーカルプレンシャッタ装置を得るにある。
【０００９】
【課題を解決するための手段】
上述した目的は、露光用開口を備えたシャッタ基板と、開口を開放・遮蔽する羽根群と、羽根群を駆動する駆動部材と、駆動部材をチャージするチャージ部材と、チャージ部材のカム面に前記駆動部材に配設された支持ピンに回転可能に取り付けられたローラを従動させるようにしたフォーカルプレンシャッタ装置において、前記ローラと前記支持ピンとの間に潤滑油を充填すると共に、前記シャッタ基板には前記ローラの運動軌跡に臨むように凹部を形成したフォーカルプレンシャッタ装置、とすることによって達成される。
【００１０】
後述する本発明の好ましい実施例において、前述した凹部は、前記従動ローラの運動軌跡を取り囲んで前記表面に形成されかつ従動ローラの端部が接触できるランド部を中央に残されかつ流入した潤滑油を収容できる無端状のＶ字溝、前記遮光羽根群の閉鎖状態に対応した前記従動ローラの停止位置に臨んで前記表面に形成されたひとつの容量のある円形エンボス、前記遮光羽根群の閉鎖状態及び解放状態に対応した前記従動ローラの各停止位置に臨んで前記表面にそれぞれ形成された二つの容量のある停止位置エンボス、前記従動ローラの運動軌跡に沿って前記表面に形成された容量のある円弧状エンボスとして具体的に説明される。
【００１１】
【実施例】
以下、図１から図１１について本発明の実施例の詳細を説明する。
図１から図５は本発明の第１実施例によるフォーカルプレンシャッタ装置を示し、露光用開口１を形成されたシャッタ地板２、チャージ部材４、複数の遮光羽根群６、これらの遮光羽根群６を支持する一対の支持アーム７Ａ，７Ｂ、蓄勢ばね１０により図１の時計方向に付勢された駆動部材１１、前記チャージ部材４の周面カム面４ａに従動される従動ローラ１３の点では従来と同様である。
【００１２】
即ち、第１実施例のフォーカルプレンシャッタ装置にあっては、表面２ａ中央部に露光用開口１を形成されたシャッタ地板２の一側に、レリーズ操作によりカム軸３を中心として矢印方向に回動されるチャージ部材４が設けられ、同シャッタ地板２の裏面側に、連結ピン５を介して薄い複数の遮光羽根群６を支持する一対の支持アーム７Ａ，７Ｂの基部が中心軸９，支持軸８により支持されることになる。
そして、一方の支持軸８と共通の中心軸９に対しては、蓄勢ばね１０で図１の時計方向に付勢される駆動部材１１が支持され、この駆動部材１１の駆動ピン部１１ａは前記シャッタ地板２の円弧状の逃げ穴１２を通ってシャッタ地板２の裏面側に導出され、この駆動ピン部１１ａに一方の前記支持アーム７Ａが連係される。また、駆動部材１１のアームには、前記チャージ部材４の周面カム面４ａに従動する従動ローラ１３が回転可能に嵌められる支持ピン１１ｂが一体成形されるけれども、軽快な従動性を確保するために、この支持ピン１１ｂと従動ローラ１３との間に潤滑油が用いられる。
【００１３】
勿論、従来の説明でも説明したように、実際のシャッタでは、前記チャージ部材４により開閉操作されるさらに１組の遮光羽根群及び駆動部材がシャッタ地板２の下部に設けられ、図１の上下方向に走行される前述した遮光羽根群６とこれらの遮光羽根群の同期運動によって露光用開口１の開閉が行われるのは改めて指摘するまでもない。なお、図４の符号”１４”は前記シャッタ地板２と平行関係を保たれて前記カム軸３及び中心軸９の軸端を支持する上地板である。
【００１４】
第１実施例のフォーカルプレンシャッタ装置においては、前記従動ローラ１３と支持ピン１１ｂとの間に用いられる潤滑油を受ける容量のある凹部がシャッタ地板２の表面２ａに形成される。つまり、第１実施例の場合、図４及び図５から理解されるように、同凹部は、従動ローラ１３の運動軌跡θを取り囲んだ無端状のＶ字溝１５として具体化されている。
詳細を述べると、このＶ字溝１５は、従動ローラ１３の内径と一致した間隔Ｌ1 を保つ円弧部１５ａと、図１の遮光羽根群６の解放状態に対応した従動ローラ１３のスタート位置α及び図２の閉鎖状態に対応した従動ローラ１３のストップ位置βで終端された両端部１５ｂ，１５ｃとから構成されるから、同Ｖ字溝１５で囲まれたシャッタ地板２の表面２ａには従動ローラ１３の対応端面が摺接されるランド部２ｂが形成される。
【００１５】
第１実施例によるフォーカルプレンシャッタ装置は以上のような構造であるから、駆動部材１１がチャージ部材４に従動される際、従動ローラ１３が運動軌跡θに沿って移動されることとなるが、この移動中に従動ローラ１３と支持ピン１１ｂとの間から流出する潤滑油は、ランド部２ｂの表面で受けられ、同ランド部２ｂの表面に接触される従動ローラ１３によりＶ字溝１５中に押し込まれる。
また、カメラの放置やシャッタチャージ状態では、従動ローラ１３はスタート位置αまたはストップ位置βで停止してる時間が長いけれども、これらの停止状態で従動ローラ１３から流出する潤滑油は、ランド部２ｂの端部寄りの表面で受け止められ、Ｖ字溝１５の対応端部からＶ字溝１５中に流入する。
したがって、Ｖ字溝１５中に流入した潤滑油は、それ自体の表面張力によりＶ字溝１５中に留まるため、シャッタ地板２の表面２ａの他の部分に拡散することはない。
【００１６】
図６および図７は本発明の第２実施例によるフォーカルプレンシャッタ装置の図４及び図５対応図である。この実施例の場合、前述した凹部は、従動ローラ１３のスタート位置αに形成された円形エンボス１６として具体化されている。すなわち、シャッタ地板２の表面２ａに形成される同円形エンボス１６は従動ローラ１３の外径Ｄ1 よりも小さく、かつ同従動ローラ１３の内径Ｄ2 よりも大きな口径Ｄ3 をもつから、従動ローラ１３が円形エンボス１６中に落ち込むことはない。
【００１７】
第２実施例によるフォーカルプレンシャッタ装置は、以上のような構造であるから、停止時間の長いスタート位置αにある従動ローラ１３の端部から流出した潤滑油を円形エンボス１６で確実に受け止めることができるから、カメラがレンズを上に向けた状態で長期間に亙って放置されて従動ローラ１３の端部から潤滑油が滴下しても、この滴下した潤滑油が故障の原因となるのを回避できる。
勿論、円形エンボス１６中に流入した潤滑油は、それ自体の表面張力により円形エンボス１６中に留まるため、シャッタ地板２の表面２ａの他の部分に拡散することはないので、第１実施例と同様の作用効果を得ることができる。
【００１８】
図８および図９は本発明の第３実施例によるフォーカルプレンシャッタ装置であって、先に述べた図４および図５に対応する図である。この実施例の場合、前述した凹部は、従動ローラ１３のスタート位置α及びストップ位置βに形成された２つの停止位置エンボス１７Ａ，１７Ｂとして具体化されている。即ち、シャッタ地板２の表面２ａに形成される同停止位置エンボス１７Ａ，１７Ｂは、前述した円形エンボス１６と同様に、従動ローラ１３の外径Ｄ1 よりも小さくかつ同従動ローラ１３の内径Ｄ2 よりも大きな口径Ｄ3 をもつから、従動ローラ１３が停止位置エンボス１７Ａ，１７Ｂ中に落ち込むことはない。
【００１９】
第３実施例によるフォーカルプレンシャッタ装置は、以上のような構造であるから、停止時間の長いスタート位置α並びにストップ位置βにある従動ローラ１３の端部から流出した潤滑油を停止位置エンボス１７Ａ，１７Ｂで確実に受け止めることができる。つまり、カメラがレンズを上に向けた状態で長期間に亙って放置される場合にあっては、従動ローラ１３はスタート位置αに長時間に亙って保たれ、また、シャッタチャージ状態では、従動ローラ１３はストップ位置βに保持されるため、これらの状態で、従動ローラ１３の端部から潤滑油がシャッタ地板２の表面２ａに滴下する可能性が大である。しかし、これらのスタート位置α並びにストップ位置βの従動ローラ１３の直下に停止位置エンボス１７Ａ，１７Ｂが配置されるため、滴下した潤滑油は何れかの停止位置エンボス１７Ａ，１７Ｂに収容され、余剰潤滑油はこれらの停止位置エンボス１７Ａ，１７Ｂ中に留まることになり、シャッタ地板２の表面２ａに拡散した潤滑油が故障の原因となるのを回避できる。
勿論、停止位置エンボス１７Ａ，１７Ｂ中に流入した潤滑油は、それ自体の表面張力により停止位置エンボス１７Ａ，１７Ｂ中に留まるため、シャッタ地板２の表面２ａの他の部分に拡散することはないけれども、遮光羽根群６の開閉運動の際にあっては、停止位置エンボス１７Ａ，１７Ｂの口部付近に付着した潤滑油は、シャッタ地板２の表面２ａに対する従動ローラ１３の摺接により両停止位置エンボス１７Ａ，１７Ｂの内部へ掻き寄せられる作用効果もある。
【００２０】
図１０および図１１に示す第４実施例のフォーカルプレンシャッタ装置において、前記従動ローラ１３と支持ピン１１ｂとの間に用いられる潤滑油を受ける容量のある円弧状エンボス１８（凹部）はシャッタ地板２の表面２ａに形成されている。つまり、図１０および図１１から理解されるように、円弧状エンボス１８は、従動ローラ１３の運動軌跡θに沿って延長したもので、その溝幅Ｌ2 は従動ローラ１３の外径Ｄ1 よりも小さくかつ同従動ローラ１３の内径Ｄ2 よりも大きな距離をもつ。
つまりこの円弧状エンボス１８は、従動ローラ１３のスタート位置α及びストップ位置βで終端されているので、従動ローラ１３が如何なる位置にあっても、従動ローラ１３から滴下した潤滑油を確実に円弧状エンボス１８中に受け止めることができる。
【００２１】
第４実施例によるフォーカルプレンシャッタ装置は、以上のような構造であるから、駆動部材１１がチャージ部材４に従動される際、従動ローラ１３が運動軌跡θに沿って移動されるわけであるが、この移動中に従動ローラ１３と支持ピン１１ｂとの間から流出する潤滑油は円弧状エンボス１８中に受け止められることになる。
また、カメラの放置やシャッタチャージ状態では、従動ローラ１３はスタート位置αまたはストップ位置βで停止してる時間が長いけれども、これらの停止状態で従動ローラ１３から流出する潤滑油は、円弧状エンボス１８の対応端部に滴下し、円弧状エンボス１８内で膜状に広がり、それ自体の表面張力により円弧状エンボス１８中に留まるため、シャッタ地板２の表面２ａの他の部分に拡散することはない。
【００２２】
なお、前述した各実施例においては、従動ローラ１３が接触しないシャッタ地板２の表面２ａ、つまりＶ字溝１５、円形エンボス１６、停止位置エンボス１７Ａ，１７Ｂ、円弧状エンボス１８の周辺に、使用潤滑油と親和性のない撥油剤を塗布すれば、より効果的であるのは改めて指摘するまでもない。また、先羽根群、後羽根群のいずれに用いてもよく、勿論両羽根群に用いても構わない。
【００２３】
【発明の効果】
以上の説明から明らかなように、本発明によれば、長時間に亙るカメラの放置等により、駆動部材の支持ピンと従動ローラとの間に用いた潤滑油がシャッタ地板の表面に拡散して故障の原因となるのを防止でき、この拡散防止構造はシャッタ地板の表面に潤滑油を収容できる凹部を形成するだけであるので、製造原価が割高となることもない効果がある。
【図面の簡単な説明】
【図１】本発明に基づく第１実施例を示すフォーカルプレンシャッタ装置の全体平面図である。
【図２】同じく閉鎖状態のフォーカルプレンシャッタ装置の要部平面図である。
【図３】同じくフォーカルプレンシャッタ装置の分解斜視図である。
【図４】図１の４−４線に沿う拡大断面図である。
【図５】同フォーカルプレンシャッタ装置のシャッタ地板と従動ローラとの関係を示す平面図である。
【図６】本発明に基づく第２実施例を示すフォーカルプレンシャッタ装置の図４対応断面図である。
【図７】同フォーカルプレンシャッタ装置のシャッタ地板と従動ローラとの関係を示す平面図である。
【図８】本発明に基づく第３実施例を示すフォーカルプレンシャッタ装置の図４対応断面図である。
【図９】同フォーカルプレンシャッタ装置のシャッタ地板と従動ローラとの関係を示す平面図である。
【図１０】本発明に基づく第４実施例を示すフォーカルプレンシャッタ装置の図４対応断面図である。
【図１１】同フォーカルプレンシャッタ装置のシャッタ地板と従動ローラとの関係を示す平面図である。
【図１２】従来のフォーカルプレンシャッタ装置の全体平面図である。
【図１３】図１２の１３−１３線に沿う拡大断面図である。
【符号の説明】
１          露光用開口
２          シャッタ地板
２ａ        表面
４          チャージ部材
４ａ        周面カム面
６          遮光羽根群
１１        駆動部材
１１ｂ      支持ピン
１５        Ｖ字溝（凹部）
１６        円形エンボス（凹部）
１７Ａ，１７Ｂ  停止位置エンボス（凹部）
１８        円弧状エンボス（凹部）
【図１】
0003542192.tif 000002
【図２】
0003542192.tif 000003
【図３】
0003542192.tif 000004
【図４】
0003542192.tif 000005
【図５】
0003542192.tif 000006
【図６】
0003542192.tif 000007
【図７】
0003542192.tif 000008
【図８】
0003542192.tif 000009
【図９】
0003542192.tif 000010
【図１０】
0003542192.tif 000011
【図１１】
0003542192.tif 000012
【図１２】
0003542192.tif 000013
【図１３】
0003542192.tif 000014